(57)【要約】【課題】引き出し部材をスムーズに出し入れすることが出来る収納ケースを提供する。【解決手段】正面部が開口されかつ分解可能な合成樹脂製枠体と、上部が開口されかつ分解可能な合成樹脂製引き出し部材と、を含む収納ケースであり、前記合成樹脂製枠体が、一つ以上の第一ローラー部材が前端部に設けられ、両側端部にスライドレール部が敷設された枠底板と、該枠底板に嵌脱自在に立設された一対の枠側板と、該枠底板の後端部に嵌脱自在に立設された枠背板と、該枠側板の上端部に嵌脱自在に掛架された枠天板と、を備え、前記合成樹脂製引き出し部材が、一つ以上の第二ローラー部材が後端部に設けられた引出部底板と、該引出部底板の両側端部に嵌脱自在に立設された一対の引出部側板と、該引出部底板の後端部に嵌脱自在に立設された引出部背板と、該引出部背板に相対向して該引出部底板の前端部に嵌脱自在に立設された引出部正面板と、を備えてなるようにした。【選択図】図１
0003161928.tif 000002
【実用新案登録請求の範囲】
【請求項１】
正面部が開口されかつ分解可能な合成樹脂製枠体と、前記合成樹脂製枠体の正面開口部に出し入れ自在に格納され、上部が開口されかつ分解可能な合成樹脂製引き出し部材と、を含む収納ケースであり、
前記合成樹脂製枠体が、
一つ以上の第一ローラー部材が前端部に設けられ、両側端部にスライドレール部が敷設された枠底板と、該枠底板に嵌脱自在に立設された一対の枠側板と、該枠底板の後端部に嵌脱自在に立設された枠背板と、該枠側板の上端部に嵌脱自在に掛架された枠天板と、を備え、
前記合成樹脂製引き出し部材が、
一つ以上の第二ローラー部材が後端部に設けられた引出部底板と、
該引出部底板の両側端部に嵌脱自在に立設された一対の引出部側板と、
該引出部底板の後端部に嵌脱自在に立設された引出部背板と、
該引出部背板に相対向して該引出部底板の前端部に嵌脱自在に立設された引出部正面板と、
を備えてなることを特徴とする収納ケース。
【請求項２】
前記枠底板に複数の略角形空孔が形成され、かつ前記第一ローラー部材が複数個設けられ、前記枠天板の外表面には複数のリブが形成されてなり、前記引出部底板の第二ローラー部材が複数個設けられ、前記スライドレール部が、前記枠底板の後端部に向かって傾斜するようにされてなることを特徴とする請求項１記載の収納ケース。
【請求項３】
前記第一ローラー部材が偶数個、前記複数個の第二ローラー部材が奇数個設けられることを特徴とする請求項１又は２記載の収納ケース。
【請求項４】
請求項１〜３のいずれか１項記載の収納ケースを複数個積上げて構成されることを特徴とする収納ケース積上げ体。
【考案の詳細な説明】
【技術分野】
【０００１】
本考案は、衣類や雑貨などを収納するための収納ケースに関する。
【背景技術】
【０００２】
従来、衣類や雑貨などを収納するための収納ケースとして、例えば、特許文献１に記載されたものが知られている。
【０００３】
このような従来の収納ケースでは、上面開口形の合成樹脂製の引き出しケース体を正面開口形の合成樹脂製のケース本体に引き出し自在に設けた構成とされている。
【０００４】
しかしながら、上記した従来のケースでは、引き出しケース体をケース本体に挿入したり引き出したりするのがスムーズにいかないという問題があった。
【０００５】
特に、引き出しケース体に物をたくさん入れたり、重量のある物を入れた状態で、引き出しケース体をケース本体に挿入したり引き出したりすると、スムーズに出し入れし難いという問題があった。
【先行技術文献】
【特許文献】
【０００６】
【特許文献１】特開２０１０−５２２４
【考案の開示】
【考案が解決しようとする課題】
【０００７】
本考案は、上記従来技術の問題点に鑑みてなされたもので、引き出し部材をスムーズに出し入れすることが出来る収納ケースを提供することを目的とする。
【課題を解決するための手段】
【０００８】
上記課題を解決するために、本考案の収納ケースは、正面部が開口されかつ分解可能な合成樹脂製枠体と、前記合成樹脂製枠体の正面開口部に出し入れ自在に格納され、上部が開口されかつ分解可能な合成樹脂製引き出し部材と、を含む収納ケースであり、
前記合成樹脂製枠体が、
一つ以上の第一ローラー部材が前端部に設けられ、両側端部にスライドレール部が敷設された枠底板と、該枠底板に嵌脱自在に立設された一対の枠側板と、該枠底板の後端部に嵌脱自在に立設された枠背板と、該枠側板の上端部に嵌脱自在に掛架された枠天板と、を備え、
前記合成樹脂製引き出し部材が、
一つ以上の第二ローラー部材が後端部に設けられた引出部底板と、
該引出部底板の両側端部に嵌脱自在に立設された一対の引出部側板と、
該引出部底板の後端部に嵌脱自在に立設された引出部背板と、
該引出部背板に相対向して該引出部底板の前端部に嵌脱自在に立設された引出部正面板と、
を備えてなることを特徴とする。
【０００９】
このように、前記枠体には第一ローラー部材が、前記引き出し部材には第二ローラー部材が、それぞれ設けられているので、スムーズな引き出しが可能となる。
【００１０】
また、前記枠底板に複数の略角形空孔が形成され、かつ前記第一ローラー部材が複数個設けられ、前記枠天板の外表面には複数のリブが形成されてなり、前記引出部底板の第二ローラー部材が複数個設けられ、前記スライドレール部が、前記枠底板の後端部に向かって傾斜するように構成するのが好ましい。
【００１１】
前記枠底板に複数の略角形空孔を形成することで、通気性が良くなるという利点がある。前記第一ローラー部材を複数箇所、前記第二ローラー部材を複数箇所に設けることで、引き出し部材をより安定してスムーズに出し入れできる利点がある。
【００１２】
また、引き出し部材をより安定してスムーズに出し入れするために、前記第一ローラー部材が偶数個、前記複数個の第二ローラー部材が奇数個設けられるように構成してもよい。
【００１３】
さらに、前記スライドレール部が、前記枠底板の後端部に向かって傾斜するように構成することで、前記引き出し部材がよりスムーズに格納されるという利点もある。
【００１４】
なお、合成樹脂としては、特別の限定はなく、プラスチック等の合成樹脂、例えば、塩化ビニル樹脂、ポリプロピレン、ポリスチレン等の種々の材料が適用可能である。
【００１５】
また、前記収納ケースは複数個積上げて使用することもできる。
【考案の効果】
【００１６】
本考案によれば、引き出し部材をスムーズに出し入れすることが出来る収納ケースを提供することができるという著大な効果を奏する。
【００１７】
また、枠体と引き出し部材とが分解可能とされているため、出荷時の梱包サイズが小さくて済み、運賃コストが安くなるという効果もある。
【考案を実施するための形態】
【００１８】
以下に本考案の実施の形態を添付図面に基づいて説明するが、本考案の技術思想から逸脱しない限りこれらの実施の形態について種々の変更又は変形が可能なことは言うまでもない。図示において、同一部材は同一符号であらわされる。
【図面の簡単な説明】
【００１９】
【図１】本考案に係る収納ケースの一つの実施の形態を示す斜視図である。
【図２】本考案に係る収納ケースの枠体を組み立てる様子を示す概略斜視説明図である。
【図３】本考案に係る収納ケースの枠体を組み立てる様子を示す概略斜視説明図である。
【図４】本考案に係る収納ケースの別の実施の形態を示す斜視図である。
【００２０】
図において、符号１０Ａは本考案の収納ケースの一つの実施の形態を示す。本考案の収納ケース１０Ａは、図１に示されるように、合成樹脂製の枠体１２に合成樹脂製の引き出し部材１４が出し入れ自在に格納されてなる収納ケースである。
【００２１】
分解された枠体１２を組み立てる様子を図２に示す。枠体１２は、複数の第一ローラー部材１６ａ，１６ｂ，１６ｃ，１６ｄが前端部に設けられ、両側端部にスライドレール部１８ａ，１８ｂが敷設された枠底板２０と、該枠底板２０に嵌脱自在に立設された一対の枠側板２２ａ，２２ｂと、該枠底板２０の後端部に嵌脱自在に立設された枠背板２４と、該枠側板２２ａ，２２ｂの上端部に嵌脱自在に掛架された枠天板２６と、を備えている。また、枠底板２０には複数の略角形空孔２８が形成されている。
【００２２】
そして、図２（ａ）の状態から、図２（ｂ）を経て図２（ｃ）の状態に組み立てる。図２（ｃ）の状態の枠体１２は、正面が開口しており、正面開口部３０とされている。この正面開口部に引き出し部材１４が出し入れ自在に格納される。図示例では、枠側板２２ａ，２２ｂと枠背板２４とは互いに嵌着せしめられ、かつ枠底板２０に嵌着せしめられる構成とされている。
【００２３】
また、図示例では、前記枠天板２６の外表面には複数のリブが形成されてなり、前記スライドレール部１８ａ，１８ｂが、前記枠底板２０の後端部に向かって若干傾斜して構成されている。
【００２４】
分解された引き出し部材１４を組み立てる様子を図３に示す。引き出し部材１４は、複数の第二ローラー部材３２ａ，３２ｂ，３２ｃが後端部に設けられた引出部底板３４と、該引出部底板３４の両側端部に嵌脱自在に立設された一対の引出部側板３６ａ，３６ｂと、該引出部底板３４の後端部に嵌脱自在に立設された引出部背板３８と、該引出部背板３８に相対向して該引出部底板３４の前端部に嵌脱自在に立設された引出部正面板４０と、を備えてなる。
【００２５】
そして、図３（ａ）の状態から、図３（ｂ）を経て図２（ｃ）の状態となり、引出部正面板４０を取り付けて図３（ｄ）の状態に組み立てる。図示例では、引出部側板３６ａ，３６ｂと引出部背板３８とは互いに嵌着せしめられ、かつ引出部底板３４に嵌着せしめられ、引出部正面板４０が引出部側板３６ａ，３６ｂと引出部底板３４に嵌着せしめられる構成とされている。
【００２６】
また、引出部正面板４０には、引き出しやすいように取っ手凹部４２が形成されている。
【００２７】
上記した図示例では、本考案に係る収納ケースとして平面視長方形のタイプのものを示したが、図示例以外にも、例えば平面視正方形としてもよい。本考案の収納ケースの別の実施の形態を図４に示す。
【００２８】
図４に示した本考案の収納ケース１０Ｂは、合成樹脂製の枠体５２に合成樹脂製の引き出し部材５４が出し入れ自在に格納されてなる収納ケースである。
【００２９】
収納ケース１０Ｂは、枠体５２及び引き出し部材５４が平面視正方形とされ、第一ローラー部材を２個、第二ローラー部材を１個設ける構成とした以外は、収納ケース１０Ａと基本的に同様の構成である。そのため、再度の詳細な説明は省略する。
【００３０】
このように、本考案の収納ケースでは、そのサイズなどにかかわらず、引き出し部材をスムーズに出し入れすることが出来る収納ケースとなる。
【符号の説明】
【００３１】
１０Ａ，１０Ｂ：収納ケース、１２，５２：枠体、１４，５４：引き出し部材、１６ａ，１６ｂ，１６ｃ，１６ｄ：第一ローラー部材、１８ａ，１８ｂ：スライドレール部、２０：枠底板、２２ａ，２２ｂ：枠側板、２４：枠背板、２６：枠天板、２８：略角形空孔、３０：正面開口部、３２ａ，３２ｂ，３２ｃ：第二ローラー部材、３４：引出部底板、３６ａ，３６ｂ：引出部側板、３８：引出部背板、４０：引出部正面板、４２：取っ手凹部。
【図１】
0003161928.tif 000003
【図２】
0003161928.tif 000004
【図３】
0003161928.tif 000005
【図４】
0003161928.tif 000006